(57)【要約】      （修正有）【課題】ユーザインターフェイスにおける迅速なナビゲーションのための方法、熱可塑性物質から製品を製造するための方法、ユーザインターフェイスにおける迅速なナビゲーションのためのプラント制御、および熱可塑性物質から製品を製造するためのプラントを提供する。【解決手段】入力インターフェイスは入力フィールド２２と機能要素を有する。ユーザが入力フィールド２２上でジェスチャ２４を片手２３で入力することによって、入力ページ２０から異なる入力ページ２１に変更する。【選択図】図３
2018067311.tif 000002
【特許請求の範囲】
【請求項１】
熱可塑性物質の製品を製造するためのマシンまたはプラントを監視および制御するためのユーザインターフェイスにおける迅速なナビゲーションのための方法であって、前記プラントまたはマシンは熱可塑性物質の可塑化のための押出機を有しており、前記ユーザインターフェイスは複数の操作ページを有しており、
ユーザは、前記マシンまたはプラントの前記ユーザインターフェイス内をナビゲートするための入力信号を、入力インターフェイスを介して入力し、前記入力インターフェイスはタッチスクリーンを有しており、
前記入力信号は、データベース内で、前記ユーザによって個別に記憶されたリンケージを介して操作ページにリンクされていることと、
前記入力信号が入力されると、前記ユーザは、リンクされている前記操作ページに直接変更することとを特徴とする、方法。
【請求項２】
前記入力インターフェイスは、機械的な解除ボタンを押下して押下し続けることによって解除されることを特徴とする、請求項１に記載の方法。
【請求項３】
前記入力インターフェイスは、前記タッチスクリーン上の仮想解除ボタンを押下して押下し続けることによって解除されることを特徴とする、請求項１または２に記載の方法。
【請求項４】
前記入力インターフェイスは指によってまたはスタイラスによって操作されることを特徴とする、請求項１から３のいずれか１項に記載の方法。
【請求項５】
前記入力インターフェイスはジェスチャ制御を有しており、前記入力信号はジェスチャであることを特徴とする、請求項１から４のいずれか１項に記載の方法。
【請求項６】
前記ジェスチャは描かれた図、特に三角形または円または異なる幾何学的形状であり、前記図はさらに強度認識のために準三次元であり得ることを特徴とする、請求項５に記載の方法。
【請求項７】
前記入力インターフェイスはテンキーパッドを有しており、前記入力信号は数字であることを特徴とする、請求項１から６のいずれか１項に記載の方法。
【請求項８】
前記入力インターフェイスはパターン入力フィールドを有しており、前記入力信号はパターンであることを特徴とする、請求項１から７のいずれか１項に記載の方法。
【請求項９】
前記パターンはポイントアレイとして入力されることを特徴とする、請求項８に記載の方法。
【請求項１０】
前記入力インターフェイスは記憶機能を有しており、入力信号と操作ページとの間のリンケージが生成されて当該機能を用いて記憶されることを特徴とする、請求項１から９のいずれか１項に記載の方法。
【請求項１１】
前記「保存」機能は、保存する前に、前記入力の重複および前記操作ページの前記リンケージの重複の有無を検索することを特徴とする、請求項１０に記載の方法。
【請求項１２】
前記入力インターフェイスは「検索」機能を有しており、入力信号と操作ページとの間のリンケージが前記データベース内で当該機能を用いて検索されることを特徴とする、請求項１から１１のいずれか１項に記載の方法。
【請求項１３】
前記入力インターフェイスは「管理」機能を有しており、入力信号と操作ページとの間のリンケージが前記データベース内で当該機能を用いて管理され、特に複数のリンケージが記憶され得るかまたは１つのリンケージが削除され得ることを特徴とする、請求項１から１２のいずれか１項に記載の方法。
【請求項１４】
前記データベースはリレーショナルデータベースであることを特徴とする、請求項１から１３のいずれか１項に記載の方法。
【請求項１５】
前記データベースは、入力信号と操作ページとの間の複数のリンケージを有する入力ライブラリを有することを特徴とする、請求項１から１４のいずれか１項に記載の方法。
【請求項１６】
前記入力ライブラリはユーザ毎に個別であることを特徴とする、請求項１から１５のいずれか１項に記載の方法。
【請求項１７】
熱可塑性物質から製品を製造するための方法であって、熱可塑性物質の可塑化のために押出機が操作され、
生産時、請求項１から１６のいずれか１項に記載の方法が実行されることを特徴とする、方法。
【請求項１８】
熱可塑性物質から製品を製造するためのマシンまたはプラントを監視および制御するためのユーザインターフェイスにおける迅速なナビゲーションのためのプラント制御であって、前記プラントまたはマシンは熱可塑性物質の可塑化のための押出機を有しており、前記ユーザインターフェイスは複数の操作ページを有しており、ユーザは、前記マシンまたはプラントの前記ユーザインターフェイス内をナビゲートするための入力信号を、入力インターフェイスを介して入力し、前記入力インターフェイスはタッチスクリーンを有しており、
前記プラント制御はデータ処理および検出部を有しており、前記データ処理および検出部はプログラムとデータベースへのアクセスとを有しており、前記プログラムは請求項１から１７のいずれか１項に記載の方法を実行するように適合されていることを特徴とする、プラント制御。
【請求項１９】
前記マシン制御は、前記入力インターフェイスの使用を解除する解除ボタンを有することを特徴とする、請求項１８に記載のマシン制御。
【請求項２０】
前記入力信号は前記データベース内で操作ページとリンクされており、前記入力信号が入力されると、前記ユーザは、リンクされている前記操作ページに直接変更し、
前記入力信号はジェスチャおよび／または数字および／またはパターンであることを特徴とする、請求項１８または１９に記載のマシン制御。
【請求項２１】
熱可塑性物質の可塑化のための押出機を有する、熱可塑性物質から製品を製造するためのプラントであって、
前記プラントは、請求項１７から１９のいずれか１項に記載のマシン制御を有することを特徴とする、プラント。
【発明の詳細な説明】
【技術分野】
【０００１】
本発明は、ユーザインターフェイスにおける迅速なナビゲーションのための方法、熱可塑性物質から製品を製造するための方法、ユーザインターフェイスにおける迅速なナビゲーションのためのプラント制御、および熱可塑性物質から製品を製造するためのプラントに言及する。
【背景技術】
【０００２】
特に、本発明は、熱可塑性物質から製品を製造するためのマシンまたはプラントを監視および制御するためのユーザインターフェイスにおける迅速なナビゲーションのための方法に言及し、プラントまたはマシンは熱可塑性物質の可塑化のための押出機を有しており、さらに、熱可塑性物質から製品を製造するための方法に言及し、熱可塑性物質の可塑化のために押出機が操作され、さらに、熱可塑性物質から製品を製造するためのマシンまたはプラントを監視および制御するためのユーザインターフェイスにおける迅速なナビゲーションのためのプラント制御に言及し、プラントまたはマシンは熱可塑性物質の可塑化のための押出機を有しており、ユーザインターフェイスは複数の操作ページを有しており、ユーザは、マシンのユーザインターフェイス内をナビゲートするための入力信号を入力インターフェイスによって入力し、入力インターフェイスはタッチスクリーンを有しており、さらに、熱可塑性物質の可塑化のための押出機を有する、熱可塑性物質から製品を製造するためのプラントに言及する。マシンまたはプラント操作のためのユーザインターフェイスは対応する操作ページにリンクされており、操作ページ内のナビゲーションはソフトウェアボタンによって可能となる。操作ページ内のナビゲーションは一般的にツリー構造によって機能する。ツリー構造を用いる場合、新たな操作ページにたどり着くためには、ナビゲーションを戻ってからターゲットページにナビゲートしなければならない。
【０００３】
操作ページの大部分はユーザの所望通りに配列されていない。したがって、ユーザは特定のページにたどり着くまでに長時間ナビゲートしなければならない場合がある。
【０００４】
ドイツ特許出願公開第１９９４２８７１Ａ１号は、自動車における音声制御コマンド入力部を操作するための方法を開示している。プラント制御を示していない文献はすべて本発明の分野に関連していないと見なすものとする。
【０００５】
欧州特許出願公開第１０２０７８９Ａ１号は、装置の機能にアクセスするための手動制御部および音声制御部を有する装置を開示している。機能に迅速にアクセスするために音声コマンドを用いることができる。
【０００６】
ドイツ特許出願公開第１０２１５０９２Ａ１号は、車両の機器に属する装置の制御を容易にするための方法を記載している。
【０００７】
米国特許第７，１９１，４１１Ｂ２号は、階層的に折り畳むことができる多段メニュー構造におけるナビゲーションのための方法を記載している。
【０００８】
国際公開第２００６／１２５４０４Ａ１号はフィールドデバイスの調整方法を開示しており、フィールドデバイスの電子制御部がフィールドデバイスと関連付けられている外部データ記憶モジュールを認識し、読出されたデータによってフィールドデバイス内の設定を行なう。
【０００９】
ドイツ特許出願公開第２００７０５１０１５Ａ１号は、複数のオペレータボタンを有する自動車用対話システムを記載しており、当該ボタンの少なくとも１つは１組の定義済み機能のうちの１つの機能に割当てられ得る。
【００１０】
ドイツ特許出願公開第１０２００７０５１０１７Ａ１号は、スクリーンディスプレイと、メニュー構造の現在のメニューレベルにおいて少なくとも１つの入力を選択および／または起動するための少なくとも１つの手動操作要素とを有する、自動車用操作システムを開示している。
【００１１】
ドイツ特許出願公開第１０２００９０５８５３８Ａ１号は、自動車用の好ましい操作機能を有する操作装置を記載している。
【先行技術文献】
【特許文献】
【００１２】
【特許文献１】ドイツ特許出願公開第１９９４２８７１Ａ１号
【特許文献２】欧州特許出願公開第１０２０７８９Ａ１号
【特許文献３】ドイツ特許出願公開第１０２１５０９２Ａ１号
【特許文献４】米国特許第７，１９１，４１１Ｂ２号
【特許文献５】国際公開第２００６／１２５４０４Ａ１号
【特許文献６】ドイツ特許出願公開第２００７０５１０１５Ａ１号
【特許文献７】ドイツ特許出願公開第１０２００７０５１０１７Ａ１号
【特許文献８】ドイツ特許出願公開第１０２００９０５８５３８Ａ１号
【発明の概要】
【発明が解決しようとする課題】
【００１３】
本発明は、最新技術に改善または代替案を提供するという課題に基づく。
【課題を解決するための手段】
【００１４】
本発明の第１の局面では、当該課題は、熱可塑性物質から製品を製造するためのマシンまたはプラントを監視および制御するためのユーザインターフェイスにおける迅速なナビゲーションのための方法であって、プラントまたはマシンは熱可塑性物質の可塑化のための押出機を有しており、ユーザインターフェイスは複数の操作ページを有しており、ユーザは、マシンまたはプラントのユーザインターフェイス内をナビゲートするための入力信号を入力インターフェイスによって入力し、入力インターフェイスはタッチスクリーンを有しており、入力信号は、ユーザによって個別に実行される割当てによってデータベース内で操作ページと関連付けられており、ユーザインターフェイスは、入力信号が入力されると、関連付けられた操作ページに直接変更する方法によって解決される。
【００１５】
いくつかの用語を以下に説明する：
まず、本特許出願の枠組み内では、「１つ」、「２つ」等の不定冠詞および変数は、「厳密に１つの…」、「厳密に２つの…」等のみがそこで意図され得ることが文脈から明らかになる、または当業者にとって明白であるかもしくは技術的に不可欠であると思われる場合を除いて、最小数、すなわち「少なくとも１つの…」、「少なくとも２つの…」等を示していると通常理解すべきであることが明確に指摘される。
【００１６】
「ユーザインターフェイス」、特に「グラフィカルユーザインターフェイス」という語は、コンピュータの、すなわち熱可塑性物質を処理するための産業用プラスチック形成プラントのコンピュータの、一種のユーザインターフェイスを示す。その課題は、図記号および制御要素によってコンピュータ上のアプリケーションソフトウェアを制御可能にすることである。ユーザインターフェイスは、グラフィカル要素を使用または選択して、マウスによってまたはタッチスクリーンに触れることによって制御され得る。「ユーザインターフェイス」は複数の異なる操作ページを有する。
【００１７】
「マシン」は、部品が作動システムによって動く技術的装置である。
「プラント」は、空間的に相互接続されているマシン、デバイスおよび／または装置の組織的な配列である。マシン、デバイスおよび／または装置は制御の面でまたは安全性の面で、機能的に互いに関連付けられ得る。
【００１８】
「操作ページ」は、ユーザインターフェイスのグラフィカル部分である。それはプラントまたはマシンのグラフィック表現を含んでおり、これによってプラントまたはマシンが制御および監視され得る。
【００１９】
「入力インターフェイス」は、ユーザインターフェイスのための一種の操作ページである。それは特に、ジェスチャ制御、テンキーパッド、パターン入力ボックス、保存、検索および管理の機能を含む。
【００２０】
「入力信号」、特に「ジェスチャ」、「数字」または「パターン」は、タッチスクリーンによりユーザによって入力される信号である。
【００２１】
「センサスクリーン」は「タッチセンシティブスクリーン」または「タッチスクリーン」とも称され得る。タッチスクリーンは組合された入出力装置であり、これによって、一般にコンピュータである技術的装置のプログラム実行が画像の一部に触れることによって直接制御され得る。コマンドの技術的処理はユーザには見えないため、指で触れることによってコンピュータを直接制御しているという印象が作り出される。タッチパッドによってタッチセンシティブになる画像は、モニタによって動的に、投影によって、または物理的になど、異なる方法で作成され得る。マウスなどでマウスポインタを制御する代わりに、指またはスタイラスを用いてもよい。
【００２２】
「データベース」は、電子データ管理のためのシステムである。データベースの課題は、大量のデータを効率的に、一貫してかつ永続的に記憶すること、ならびに記憶データの要求されるサブセットを要件に応じて異なる表現形態でユーザおよびアプリケーションプログラムに提供することである。
【００２３】
最新技術では、マシンまたはプラントコントローラのユーザインターフェイスは対応する操作ページにリンクされており、操作ページ間のナビゲーションはソフトウェアボタンによって可能となる。操作ページ内のナビゲーションは通常、ツリー構造によって機能する。ツリー構造のために、異なる操作ページに行くためには、ナビゲーションを戻ってからターゲットページにナビゲートしなければならない。
【００２４】
さらに、操作ページは一般にユーザの所望通りに配列されていない。このため、ユーザは、特に複数のネスト状の操作ページを有する複雑なマシンまたはプラントの場合、所望の操作ページにたどり着くために非常に長時間ナビゲートしなければならないことが多くなる。
【００２５】
特に時間が短くユーザによる迅速な入力が必要とされる場合、これは、プラントまたはマシン制御を取扱う際の問題につながり得る。
【００２６】
これらの問題を解決するために、最新技術は、ユーザがショートカットまたはお気に入りバーを生成することができる解決策を提供している。「お気に入りバー」は、操作ページへの記憶されたリンクの集合の名称である。
【００２７】
しかし、この解決策とされるものは、複雑なプロセスを伴い、この場合もやはりタッチスクリーン上のお気に入りバーに紛らわしいほど多数のさまざまなショートカットを生成する必要があり、この場合もやはり紛らわしく配列されたナビゲーションパスがもたらされ、これはこの場合もやはりユーザの側におけるかなりの検索労力と関連付けられる。さらに、ショートカットおよびお気に入りバーはユーザインターフェイス上の大量のスペースを必要とするため、操作ページを表示するための空間が小さくなる。その結果、ユーザおよび制御要素へのメッセージが、ユーザが見ることができないか操作できないほど小さくなってしまうことを防止するために、１つの操作ページ上に配列可能な要素の数が少なくなってしまう。
【００２８】
したがって、現在、最新技術では、複雑なマシンおよびプラントについては複数のナビゲーションステップおよび長いナビゲーション時間が必要である。
【００２９】
代替案として、本明細書では、さまざまなクラスの個別化された入力信号を処理可能であり、ユーザによって入力信号が入力されると、明確に配列された操作ページをユーザに直ちに表示する特有の入力インターフェイスをユーザインターフェイスに提供することを提案する。
【００３０】
ゆえに、明確に配列された入力インターフェイスによって、ユーザは操作ページへの迅速で容易なアクセスを得る。
【００３１】
入力信号は、ユーザの要望および要件に従って各ユーザによって個別にセットアップ可能なデータベースによって操作ページに割当てられるので、マシンまたはプラントを制御するための高度な直感が達成され得る。
【００３２】
全体として、ユーザは、ユーザが個人的に直感的に使用可能な入力信号によって快適にマシンおよび／またはプラント制御の操作ページにたどり着くことができることが有利に達成される。
【００３３】
ゆえに、ユーザは、複雑なマシンの場合は不明確であることが多いツリー構造内をナビゲートする必要がなくなり、代わりに、迅速な、直感的な、かつ的を絞った操作ページのビューの変更によって時間を節約することができる。
【００３４】
重大な操作状態では、この追加時間は、許容パラメータ限界内で生産を継続可能であるために必要な決定的な利点を構成し得る。特に、生産中断のリスクがこのように大幅に低下し得る。
【００３５】
ゆえに、マシンおよび／またはプラント制御の操作ページ内の個別のナビゲーションは、操作の容易さを増加させ得るだけでなく、好適な実施形態では、人間とマシンとの全体効率も向上させ得る。
【００３６】
本明細書で提案する操作ページ内のナビゲーションの別の利点は、入力インターフェイスと操作ページとの分離が誤操作の回避に役立つことであり得る。この理由は、ナビゲーションが操作ページを介して直接起こらないため、入力インターフェイスに誤って入力したとしても、最悪の場合でも、望まない操作ページへの誤ったナビゲーションにつながるだけであり、これはその後、何の影響もなく所望の操作ページの方向に再び戻すことができる。
【００３７】
好ましくは、入力インターフェイスは、機械的な解除ボタンを押下して当該ボタンを押下し続けることによって解除される。
【００３８】
有利なことに、プラントまたはマシンは、ユーザの側の望ましくないまたは不注意な誤操作からこのように保護され得る。
【００３９】
任意に、入力インターフェイスは、タッチスクリーン上の仮想解除ボタンをクリックして当該ボタンを押下し続けることによって解除される。
【００４０】
有利なことに、プラントまたはマシンは、ユーザの側の望ましくないまたは不注意な誤操作からこのように保護され得る。
【００４１】
好ましくは、入力インターフェイスは指でまたはスタイラスで操作される。
いくつかの用語を以下に説明する：
「スタイラス」は、ペンのように人の手で握ることができ、ペンのように形成されてペンのように用いられる入力装置である。ゆえに、スタイラスを用いてタッチスクリーン上に仮想的に書くことができる。
【００４２】
有利なことに、最適な直感レベルのユーザ快適性がこのように達成され得る。
ゆえに、ユーザは複雑なナビゲーションまたは制御装置に慣れる必要はなく、特に、ユーザは職業的文脈以外でも多くの日常的状況で指またはスタイラスでデータを入力することに既に慣れており、その利点に精通しているため、マシンおよび／またはプラントを非常に容易に直感的に制御することができる。すなわち、ユーザはこれらの制御要素をすでに知っており、この非常に直感的な種類のマシンおよび／またはプラント制御に非常に早く順応することができる。
【００４３】
任意に、入力インターフェイスはジェスチャ制御を有しており、入力信号はジェスチャである。
【００４４】
いくつかの用語を以下に説明する：
「ジェスチャ」は、コンピュータと対話するための動きである。ジェスチャは入力信号として用いられる。
【００４５】
「ジェスチャ制御」は、マンマシン対話のために人間によって行なわれるジェスチャの、コンピュータによる自動認識である。
【００４６】
ゆえに、ユーザは、たとえば三角形、円などの図（入力図）を指またはスタイラスで１回なぞって入力インターフェイス上に「描く」ことができる。描かれた入力図は任意の操作ページにリンクされているか、またはリンクされ得る。記憶された図が入力されると、システムはリンクされている操作ページに直接行く。入力ボックス内に入力図を描くことによって、ページからページにジャンプすることができる。
【００４７】
有利なことに、マシンおよび／またはプラントの制御がこのようにさらに直感的になり得、誤操作の数がさらに低下し得、ユーザにとっての楽しみおよびナビゲーションの速度がさらに増加し得、人間とマシンとの対話の効率が向上し得ることが達成される。
【００４８】
マシンおよび／またはプラントのプロセスを単純な入力図に直感的にリンクさせることは人間にとって特に容易であり得るため、ジェスチャを用いるナビゲーションは特に有利であり得る。
【００４９】
好ましくは、ジェスチャは描かれた図、特に三角形または円または異なる幾何学的平面形状であり、図はさらに強度の認識のために準三次元であってもよい。
【００５０】
たとえば、入力インターフェイスはテンキーパッドを有していてもよく、入力信号は数字であってもよい。
【００５１】
いくつかの用語を以下に説明する：
「数字」は、入力信号として用いられる数字列で構成される識別子である。
【００５２】
「テンキーパッド」は、数字を入力するための入力フィールドである。
ゆえに、テンキーボード機能を用いて、ユーザは、たとえば、特定の操作ページに行くために一連の数字を入力することができる。
【００５３】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００５４】
特に、数字の理解度が本質的に高い人にとっては、数字を用いるナビゲーションは有利であり得る。
【００５５】
任意に、入力インターフェイスはパターン入力フィールドを有していてもよく、入力信号はパターンであってもよい。
【００５６】
いくつかの用語を以下に説明する：
「パターン」は、その正確な繰返しによって認識される入力信号として用いられる静的構造である。これは正確な反復を対象としている。
【００５７】
「パターン入力フィールド」は、パターンを入力するための入力フィールドである。
ゆえに、パターン入力フィールドの機能を用いて、ユーザは、容易に覚えることができて非常に快適である非常に個別の態様で、マシンの所望の操作ページにたどり着くことができる。
【００５８】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００５９】
任意に、パターンはポイントアレイとして入力される。
いくつかの用語を以下に説明する：
「ポイントアレイ」は、ドットのデカルト配置である。
【００６０】
曲線、特に折れ線が人の指でまたはスタイラスで描かれると、ポイントアレイとしてのパターンの入力が起こる。当該曲線は一連のドットを相互接続している。曲線上のドットの数はポイントアレイ内のドットの数より小さくてもよい。
【００６１】
有利な実施形態では、ポイントアレイ上のパターンを介した入力信号の入力は、ポイントアレイとしてのパターンの形成によってのみ起こる。
【００６２】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００６３】
リンケージは起動曲線であり、個別の曲線は、個別のリンケージの非常に高度な光学的割当てが可能であるように制御または監視されるマシンおよび／またはプラントの幾何学的構成要素を表わし得るので、ポイントアレイは特に有利であり得る。
【００６４】
好ましくは、入力インターフェイスは、入力信号と操作ページとの間のリンケージを作成して保存する保存機能を有する。
【００６５】
いくつかの用語を以下に説明する：
「保存」機能は、操作ページとジェスチャ、数字またはパターンとの間のリンケージを可能にする。
【００６６】
保存は以下のように起こり得る：操作ページが入力図、数列もしくはパターンにまだリンクされていないかまたはこれから再リンクされる場合、このボタンを起動してそれを保存する。この機能は、入力およびリンクされている操作ページの重複の有無を確認し、新たなリンケージを保存する。
【００６７】
有利なことに、このように、ユーザは個別のリンケージを作成して記憶し、後でそれらを繰返し用いることができる。
【００６８】
任意に、「保存」機能は、保存が実行される前に入力および操作ページのリンケージの重複の有無を検索する。
【００６９】
有利なことに、このように、同じ入力信号を複数回用いることが防止され得る。また、操作ページ毎にリンケージは１つしかないため、最小数のリンケージを用いて固有の割当てが達成され得る。
【００７０】
好ましくは、入力インターフェイスは、データベース内の入力信号と操作ページとの間のリンクを検索するために用いられる「検索」機能を有する。
【００７１】
いくつかの用語を以下に説明する：
「検索」機能は、操作ページとジェスチャ、数字またはパターンとの間の記憶されたリンケージを求めてデータベースを検索することを可能にする。
【００７２】
この機能を用いて、ユーザは自身の入力図、数列およびパターンをリスト化してそれらを見つけることができる。
【００７３】
有利なことに、このように、ユーザは入力インターフェイスの機能を最適に使用し、プログラムし、知ることができる。
【００７４】
任意に、入力インターフェイスは「管理」機能を有しており、これによってデータベース内の入力信号と操作ページとの間のリンクが管理され、特に複数のリンケージがソートされ得るか、または１つのリンケージが削除され得る。
【００７５】
いくつかの用語を以下に説明する：
「管理」機能によって、操作ページとジェスチャ、数字またはパターンとの間のリンケージのソーティングおよび削除が可能となる。
【００７６】
「メニュー」は、グラフィカルな、キー操作または音声操作されるユーザインターフェイスを有するコンピュータプログラムにおける一種の対話式ユーザ案内である。これによって、リストから所望のコマンドを選択し、実際の制御コマンドを知って適用する必要なしに当該所望のコマンドを実行することが可能となる。
【００７７】
この機能を用いて、ユーザは自身の入力図、数列およびパターンをリスト化してそれらを管理することができる。管理によって、カスタマイズされた入力信号のリンケージのソーティングおよび削除が可能となる。
【００７８】
有利なことに、このように、ユーザは入力インターフェイスの機能を最適に使用し、プログラムし、知ることができる。好ましくは、データベースはリレーショナルデータベースである。
【００７９】
いくつかの用語を以下に説明する：
「リレーショナルデータベース」は、コンピュータシステムにおける電子データ管理のために用いられ、表ベースのリレーショナルデータベースモデルに基づいている。
【００８０】
有利なことに、このように、リンケージの割当てを非常に容易かつ効率的にすることができる。
【００８１】
任意に、データベースは、入力信号と操作ページとの間の複数のリンケージを有する入力ライブラリを有していてもよい。
【００８２】
いくつかの用語を以下に説明する：
「入力ライブラリ」は、リンクされている操作ページへの入力信号の割当てを管理する。
【００８３】
有利なことに、ユーザは職業的用途以外でも、日常生活からライブラリの使用に詳しいため、このように、リンケージを管理するプロセスを大幅に容易にすることができる。
【００８４】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００８５】
好ましくは、ユーザ毎に個別の入力ライブラリがある。
有利なことに、このように、マシンおよび／またはプラント制御は、特定のユーザの要件および習慣に個別にかつ最適に適合され得る。
【００８６】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００８７】
本発明の第２の局面では、当該課題は、熱可塑性物質から製品を製造するための方法であって、熱可塑性物質の可塑化のために押出機が操作され、製造時、上述のプロセスが実行される方法によって達成される。
【００８８】
上述のような熱可塑性物質から製品を製造するためのマシンまたはプラントを監視および制御するためのユーザインターフェイスにおける迅速なナビゲーションのための方法の利点は、熱可塑性物質の可塑化のために押出機が操作される、熱可塑性物質から製品を製造するためのマシンまたは方法にも直接及ぶと理解される。
【００８９】
第２の局面の主題は、本発明の第１の局面の主題と有利に組合され得ることが明確に指摘される。
【００９０】
本発明の第３の局面では、当該課題は、熱可塑性物質から製品を製造するためのマシンまたはプラントを監視および制御するためのユーザインターフェイスにおける迅速なナビゲーションのためのプラント制御であって、マシンまたはプラントは熱可塑性物質の可塑化のための押出機を有しており、ユーザインターフェイスは複数の操作ページを有しており、ユーザは、マシンまたはプラントのユーザインターフェイス内をナビゲートするための入力信号を入力インターフェイスによって入力し、入力インターフェイスはタッチスクリーンを有しており、プラント制御はデータ処理および検出部を有しており、データ処理および検出部はプログラムを有しており、データベースへのアクセスを有しており、プログラムは、上記の請求項のいずれか１項に記載の方法を実行するように適合されているプラント制御によって達成される。
【００９１】
いくつかの用語を以下に説明する：
「データ処理および検出部」は、データに関する情報を得るかまたはそれらを変更する目的でこれらのデータを組織化された態様で管理する電子ユニットである。データはデータセットで記録され、所定の手順に従って人間またはマシンによって処理され、結果として出力される。
【００９２】
有利なことに、このように、ユーザインターフェイスにおける迅速なナビゲーションのための方法の局面に関連して既に述べた上記の利点は、マシン制御に、特に、ユーザインターフェイスの操作ページを介した迅速なユーザナビゲーションを用いるマシン制御に引継がれ得る。
【００９３】
当該方法の局面の利点はマシン制御にも及ぶと理解される。
好ましくは、マシン制御は、入力インターフェイスの使用を解除する解除ボタンを有する。
【００９４】
入力インターフェイスは、解除ボタンをクリックして当該ボタンを押下し続けることによって起動される。
【００９５】
有利なことに、このように、プラントまたはマシンは、ユーザによる望ましくないまたは不注意な誤操作から保護され得る。
【００９６】
有利なことに、このように、マシンまたはプラントの誤操作のリスクが減少し得る。
任意に、入力信号はデータベース内で操作ページとリンクされており、入力信号が入力されると、ユーザインターフェイスはリンクされている操作ページに直接行き、入力信号はジェスチャおよび／または数字および／またはパターンであってもよい。
【００９７】
このように、マシンおよび／またはプラントの制御がさらに直感的になり、誤操作の数がさらに低下し、ユーザにとっての楽しみおよびナビゲーションの速度がさらに増加し、人間とマシンとの対話の効率が向上することが有利に達成され得る。
【００９８】
第３の局面の主題は、本発明の上記の局面の各々の主題と個別にまたは累積的に、任意の組合せで有利に組合され得ることが明確に指摘される。
【００９９】
本発明の第４の局面では、当該課題は、熱可塑性物質の可塑化のための押出機を有する、熱可塑性物質から製品を製造するためのプラントであって、プラントは、本発明の第３の局面の請求項のいずれか１項に記載のマシン制御を有するプラントによって達成される。
【０１００】
熱可塑性物質から製品を製造するためのマシンまたはプラントを監視および制御するためのユーザインターフェイスにおける迅速なナビゲーションのためのプラント制御の利点は、熱可塑性物質から製品を製造するためのプラントにも及ぶと理解される。
【０１０１】
第４の局面の主題は、本発明の上記の局面の各々の主題と個別にまたは累積的に、有利に組合され得ることが明確に指摘される。
【０１０２】
好ましくは、ジェスチャ、入力図、数列またはパターンは明瞭であるべきである。
好ましくは、マシンまたはプラントの誤操作のリスクがこのように減少し得る。
【０１０３】
好ましくは、プラントの機能はユーザインターフェイスにおける迅速なナビゲーションのための方法の影響を受けないので、誤操作のリスクなしで好ましい操作ページ間の迅速な変更のみが可能である。
【０１０４】
有利なことに、このように、マシンまたはプラントの誤操作のリスクが減少し得る。
以下に、図を参照して２つの実施形態の例を用いて本発明をより詳細に説明する。
【図面の簡単な説明】
【０１０５】
【図１】入力インターフェイス設計の概略例を示す図である。
【図２】入力インターフェイスの拡大図である。
【図３】ジェスチャによるマシンまたはプラント制御のユーザインターフェイスにおけるナビゲーションのための実施形態の例を示す図である。
【図４】数字によるマシンまたはプラント制御のユーザインターフェイスにおけるナビゲーションのための実施形態の例を示す図である。
【図５】ポイントアレイとしてのパターンによるマシンまたはプラント制御のユーザインターフェイスにおけるナビゲーションのための実施形態の例を示す図である。
【発明を実施するための形態】
【０１０６】
マシンまたはプラントを監視および制御するための、操作ページ２および入力インターフェイス３で構成されるユーザインターフェイス１を図１に示す。
【０１０７】
操作ページは複数の異なる操作要素４，５を有しており、これらはマシンまたはプラントを監視および制御するために用いられ得る（明確にするため、例として２つの操作要素のみについて述べる）。
【０１０８】
操作要素４，５は、プロセス制御に関して互いにリンクされている。
入力インターフェイス３，１０は入力フィールド１６と、いくつかの機能要素１１，１２，１３，１４，１５とを有しており、図２に拡大して示されており、さらなる明確化および説明のために図１から詳細に強調されている。
【０１０９】
表示の観点で、入力フィールド１６は異なる種類の入力信号に、特にジェスチャ、数字またはパターンに適合され得る。
【０１１０】
図２の入力フィールド１６は、入力信号としてのジェスチャに適合されている。
入力インターフェイス３，１０の機能要素１１，１２，１３，１４，１５は異なる機能に、特に「検索」、「保存」、「管理」および「表示入力信号を変更」機能にリンクされ得る。
【０１１１】
ユーザがジェスチャ用入力フィールド２２上でジェスチャ２４を片手２３で入力することによって入力ページ２０から異なる入力ページ２１に変更する特定の実施形態を図３に概略的に示す。
【０１１２】
ユーザが入力フィールドテンキーパッド３２において数字３４を片手３３で入力することによって１つの入力ページ３０から異なる入力ページ３１に変更する代替の実施形態を図４に概略的に示す。
【０１１３】
ユーザが入力フィールド「ポイントアレイを有するパターン４２」においてパターン４４を片手４３で入力することによって１つの入力ページ４０から異なる入力ページ４１に変更する代替の実施形態を図５に概略的に示す。
【符号の説明】
【０１１４】
参照番号のリスト
１  ユーザインターフェイス、２  操作ページ、３  入力インターフェイス、４，５  操作要素、１０  入力インターフェイス、１１，１２，１３，１４，１５  機能要素、１６  入力フィールド、２０，２１  入力ページ、２２  入力フィールド、２３  手、２４  ジェスチャ、３０，３１  入力ページ、３２  入力フィールド、３３  手、３４  数字、４０，４１  入力ページ、４２  入力フィールド，４３  手、４４  パターン。
【図１】
2018067311.tif 000003
【図２】
2018067311.tif 000004
【図３】
2018067311.tif 000005
【図４】
2018067311.tif 000006
【図５】
2018067311.tif 000007